(57)【要約】【課題】調光部による調光制御、曲面形状への追従性、および調光時における所定の透明領域の確保が可能な表示装置を実現する。【解決手段】可撓性のある透明基材の一面側に、ＯＬＥＤを有してなる複数の画素を構成するＯＬＥＤ層が配置され、当該透明基材の他面側に、通電により可視光透過率が非通電時よりも小さくなり、ＯＬＥＤ層のうち少なくとも一部の領域に対して重畳配置される調光部と、を有してなる表示部１０を備える表示装置とする。表示部は、調光部による可視光透過率の低下が生じない第１領域１０１と、調光部による可視光透過率の低下が生じる第２領域１０２とを有してなる。可撓性のある透明基材により曲面形状への追従性を確保でき、調光部により調光制御が可能となり、表示部１０が第１領域１０１を備えることで調光時においても所定の透明領域を確保できる。【選択図】図８
2020154184.tif 000002
【特許請求の範囲】
【請求項１】
移動体（Ｖ）のうち曲面形状を有する透明部材（Ｖ１）上に搭載され、各種の映像を表示する透明な表示装置であって、
可撓性のある透明基材（２１）と、前記透明基材上に配置され、ＯＬＥＤを有してなる複数の画素（ＭＰ）を構成するＯＬＥＤ層（２３）と、通電により可視光透過率が非通電時よりも小さくなり、前記ＯＬＥＤ層のうち少なくとも一部の領域に対して重畳配置される調光部（３）と、を有してなる表示部（１０）と、
前記調光部の駆動制御を行う制御部（１１）と、を備え、
前記表示部は、前記調光部による可視光透過率の低下が生じない第１領域（１０１）と、前記調光部による可視光透過率の低下が生じる第２領域（１０２）と、を有してなる、表示装置。
【請求項２】
前記調光部は、前記透明基材のうち前記複数の画素の側の一面（２１ａ）とは反対側の他面（２１ｂ）上に配置されている、請求項１に記載の表示装置。
【請求項３】
前記調光部は、前記透明基材の前記一面上に積層された前記ＯＬＥＤ層を含む部分を映像表示部として、前記映像表示部と前記透明基材を共有している、請求項２に記載の表示装置。
【請求項４】
前記複数の画素は、発光色の異なる複数の副画素（ＳＰ１〜ＳＰ３）を有してなり、
前記副画素は、前記ＯＬＥＤにより光が生じる発光領域（ＳＰ１ａ〜ＳＰ３ａ）と、前記ＯＬＥＤが配置されていない光透過領域（ＳＰ１ｂ〜ＳＰ３ｂ）とを有してなり、
前記調光部は、前記透明基材のうち前記光透過領域と重畳する位置に配置されている、請求項２または３に記載の表示装置。
【請求項５】
前記第１領域は、前記調光部が配置されておらず、
前記第２領域は、前記調光部が配置されている、請求項１ないし４のいずれか１つに記載の表示装置。
【請求項６】
前記調光部は、前記第１領域および前記第２領域に配置されており、
前記第１領域は、前記複数の画素が作動可能、かつ前記調光部が作動しない領域であり、
前記第２領域は、前記調光部および前記複数の画素が作動可能な領域である、請求項１ないし４のいずれか１つに記載の表示装置。
【請求項７】
前記表示部は、さらに、前記複数の画素および前記調光部が作動しない第３領域（１０３）を有してなり、
前記第３領域は、前記第１領域に囲まれており、
前記第２領域は、前記第１領域を隔てて前記第３領域よりも外側に位置している、請求項６に記載の表示装置。
【請求項８】
前記移動体は、車両であり、
前記透明部材は、ウィンドシールドである、請求項１ないし７のいずれか１つに記載の表示装置。
【発明の詳細な説明】
【技術分野】
【０００１】
本発明は、有機発光ダイオード（ＯＬＥＤ）を備える表示部と外部からの光の透過率を調整する調光部とが一体化され、全体として透明な構成とされた表示装置に関する。
【背景技術】
【０００２】
この種の表示装置としては、例えば特許文献１に記載のものが挙げられる。特許文献１に記載の表示装置は、各種の映像を表示する透明ＥＬ（エレクトロルミネッセンス）表示器と、正面視にて当該透明ＥＬ表示器と重畳すると共に、隙間を隔てて配置された調光板とを備える。この表示装置は、調光板がエレクトロクロミック素子を有してなり、通電によって可視光透過率が調整可能な構成とされており、車両用のヘッドアップディスプレイ（ＨＵＤ）装置等に適用される。そして、この表示装置は、必要に応じて、この調光板の可視光透過率を低下させ、透明ＥＬ表示器の背面側からの外光を遮ることで、コントラストを向上させ、透明ＥＬ表示器における表示品位を高めることができる。
【先行技術文献】
【特許文献】
【０００３】
【特許文献１】特開２００４−２７１８３０号公報
【発明の概要】
【発明が解決しようとする課題】
【０００４】
ところで、近年、自動車等の移動体に搭載される表示装置において、ウィンドシールド等の曲面形状を有する透明部材上に搭載可能としつつも、外光による表示品位の低下を抑制したいとのニーズがある。
【０００５】
しかしながら、特許文献１に記載の表示装置は、透明ＥＬ表示器および調光板がいずれも剛体で構成されており、ウィンドシールド等の曲面形状に追従できない。また、この表示装置は、調光板が部分的な可視光透過率の調整ができない構成であり、調光板を作動させた場合には、運転者が調光板よりも前方を見ることができず、安全運転の妨げとなってしまう。
【０００６】
本発明は、上記の点に鑑み、調光制御が可能な調光部を備え、曲面形状を有する他の透明部材に追従して搭載されることができ、調光部の作動中にも所定の透明領域を有し、調光部よりも前方の外界の視野を確保できる表示装置を提供することを目的とする。
【課題を解決するための手段】
【０００７】
上記目的を達成するため、請求項１に記載の表示装置は、移動体（Ｖ）のうち曲面形状を有する透明部材（Ｖ１）上に搭載され、各種の映像を表示する透明な表示装置であって、可撓性のある透明基材（２１）と、透明基材上に配置され、ＯＬＥＤを有してなる複数の画素（ＭＰ）を構成するＯＬＥＤ層（２３）と、通電により可視光透過率が非通電時よりも小さくなり、ＯＬＥＤ層のうち少なくとも一部の領域に対して重畳配置される調光部（３）と、を有してなる表示部（１０）と、複数の調光部の駆動制御を行う制御部（１１）と、を備え、表示部は、調光部による可視光透過率の低下が生じない第１領域（１０１）と、調光部による可視光透過率の低下が生じる第２領域（１０２）と、を有してなる。
【０００８】
これにより、可撓性のある透明基材と、ＯＬＥＤ層と、ＯＬＥＤ層の少なくとも一部の領域に対して重畳配置される調光部とを有してなる表示部を備え、曲面形状を有する透明部材上に搭載可能な構成とされた表示装置となる。また、表示部が、調光部による可視光透過率の低下が生じない第１領域と、調光部による可視光透過率の低下が生じる第２領域とを有することで、第１領域により外界の視野を確保しつつ、第２領域での調光制御により表示品位を確保できる。そのため、曲面形状への追従、外界の視野の確保、および調光制御による表示品位の確保が可能な構成とされた表示装置となる。
【０００９】
なお、各構成要素等に付された括弧付きの参照符号は、その構成要素等と後述する実施形態に記載の具体的な構成要素等との対応関係の一例を示すものである。
【図面の簡単な説明】
【００１０】
【図１】車両に搭載された第１実施形態の表示装置を示す図である。
【図２】図１の表示装置のうち表示部を示す平面図である。
【図３】図２中のIIIの領域を拡大して示す平面図である。
【図４】図３中のIV-IV間の断面を示す断面図である。
【図５】調光部における透明電極の配置例を示す平面図である。
【図６】調光部における一対の透明電極と調光層との配置関係を示す斜視図である。
【図７】図２の表示部における調光時および非調光時の外光の透過の様子を示す断面図である。
【図８】図２の表示部における第１領域および第２領域の区画例を示す図である。
【図９】第２実施形態の表示装置の表示部において、図３のIV-IV間の断面に相当する部分の断面を示す断面図である。
【図１０】図９の表示部における調光時および非調光時の外光の透過の様子を示す断面図である。
【図１１】第２実施形態の表示装置の表示部における第１領域、第２領域および第３領域の区画例を示す図である。
【図１２】他の実施形態の表示装置における表示部の他の配置例を示す図である。
【発明を実施するための形態】
【００１１】
以下、本発明の実施形態について図に基づいて説明する。なお、以下の各実施形態相互において、互いに同一もしくは均等である部分には、同一符号を付して説明を行う。
【００１２】
（第１実施形態）
第１実施形態の表示装置Ｓ１について、図１〜図７を参照して説明する。図３では、後述する画素、すなわちメインピクセルＭＰ同士の境界を便宜的に破線で示している。図５では、後述する透明下部電極３２の外郭のうち透明上部電極３４と重なる部分を破線で示している。図６では、透明下部電極３２の外郭のうち後述する調光層３３に隠れて見えない部分を破線で示している。
【００１３】
本実施形態の表示装置Ｓ１は、図１に示すように、移動体の透明部材、例えば自動車等の車両ＶのウィンドシールドＶ１上に搭載されるウィンドシールドディスプレイに適用されると好適であるが、勿論、他の用途にも適用され得る。例えば、表示装置Ｓ１は、ウィンドシールドＶ１のほか、サイドウィンドウやリアウィンドウ等の他の透明部材上に配置されることもでき、用途に応じて搭載される位置が適宜変更される。本実施形態では、ウィンドシールドディスプレイに適用された場合の表示装置Ｓ１について説明する。
【００１４】
本実施形態の表示装置Ｓ１は、図１に示すように、車両ＶのウィンドシールドＶ１に搭載される表示部１０と、表示部１０の駆動を制御する制御部１１とを備える。表示装置Ｓ１は、例えば図２に示すように、全体として透明な構成とされた表示部１０のうち後述する薄膜トランジスタ（ＴＦＴ）を構成するＴＦＴ層２２に接続される配線Ｗ１、調光部３の電極３２、３４に接続される配線Ｗ２とを備える。表示装置Ｓ１は、配線Ｗ１、Ｗ２を介して不図示の外部電源に接続され、映像の表示と共に、後述する調光部３により表示部１０のうち一部の領域における可視光透過率の制御、すなわち調光制御が可能な構成とされている。
【００１５】
なお、配線Ｗ１は、例えば、ＴＦＴ層２２のうち後述するＯＬＥＤ層２３の駆動制御用のＴＦＴから外部に延設された不図示の配線に接続され、ＯＬＥＤ層２３の駆動に用いられる。配線Ｗ２は、例えば、調光部３を構成する後述の透明電極３２、３４から外部に延設された不図示の配線に接続され、調光部３の駆動に用いられる。配線Ｗ１、Ｗ２は、ＦＰＣなどのフレキシブル配線とされ得る。
【００１６】
表示部１０は、例えば可撓性のあるフィルム状とされ、本実施形態では、ウィンドシールドＶ１に任意の光学接着剤等により貼り付けられることで、ウィンドシールドＶ１の形状に追従した所定の曲面形状とされた状態で使用される。表示部１０は、例えば、制御部１１を介して不図示の他の車載装置等に接続されており、各種の映像を表示する。
【００１７】
表示部１０は、例えば、透明ＯＬＥＤフィルムとされ、図３に示すように、発光色の異なる３つの副画素、すなわちサブピクセルＳＰ１〜ＳＰ３により構成されたメインピクセルＭＰを複数備える。表示部１０は、例えば図３の紙面左右方向を横方向とし、横方向と交差する方向を縦方向として、メインピクセルＭＰが縦方向および横方向それぞれに沿って繰り返して複数配列された構成とされる。サブピクセルＳＰ１〜ＳＰ３は、ＯＬＥＤおよびその駆動制御用の薄膜トランジスタ（ＴＦＴ）を有してなる発光領域ＳＰ１ａ〜ＳＰ３ａと、その他の非発光領域ＳＰ１ｂ〜ＳＰ３ｂとを有してなる。非発光領域ＳＰ１ｂ〜ＳＰ３ｂは、ＴＦＴおよびＯＬＥＤが配置されておらず、発光領域ＳＰ１ａ〜ＳＰ３ａよりも可視光透過率が高い透明な領域とされている。
【００１８】
非発光領域ＳＰ１ｂ〜ＳＰ３ｂは、少なくとも後述する調光部３のうち対応する部分が非作動時（非調光時）には、調光部３側からの可視光をディスプレイ部２側に透過させる領域である。以下の説明においては、必要に応じて、これらの非発光領域ＳＰ１ｂ〜ＳＰ３ｂを「光透過領域」と称する。
【００１９】
表示部１０は、例えば、各サブピクセルＳＰ１〜ＳＰ３における光透過領域の占める割合が適宜調整されることにより、全体として可視光透過率が高い構成とされる。例えば、限定するものではないが、表示部１０は、ウィンドシールドＶ１に貼り付けられた状態において、ウィンドシールドＶ１を含めた全体の可視光透過率が７０％以上とされる。
【００２０】
表示部１０は、本実施形態では、例えば図４に示すように、可撓性のあるディスプレイ部２と、可撓性のある調光部３とを有してなり、これらが接着材４を介して貼り合された構成とされることで、全体として可撓性のある構成とされている。
【００２１】
ディスプレイ部２は、第１透明基材２１と、ＴＦＴ層２２と、ＯＬＥＤ層２３と、接着材２４と、透明カバー２５とを有してなり、これらがこの順に積層された構成とされる。
【００２２】
第１透明基材２１は、例えば、カラーレスポリイミド等の可撓性のある任意の透明樹脂材料によりなり、ＴＦＴ層２２が成膜される側の面に不図示のバリア層が形成され得る。なお、バリア層は、水分透過率が小さく、かつ透明な酸化物などの任意の材料により構成される。
【００２３】
ＴＦＴ層２２は、不図示の半導体層、ゲート絶縁層、ゲート電極、層間絶縁層、ドレイン電極およびソース電極、平坦化層がこの順に第１透明基材２１上に積層されてなる。ＴＦＴ層２２は、例えば、ドレイン電極およびソース電極が層間配線により半導体層と接続されると共に、ソース電極が絶縁性材料によりなる平坦化層上に形成されたＯＬＥＤ層２３の不図示の下部電極に層間配線を介して接続されている。ＴＦＴ層２２は、不図示の内部配線によりゲート電極に所定の電圧を印加可能な構成とされている。ＴＦＴ層２２は、ゲート電極への電圧印加により、半導体層でのキャリア移動を生じさせ、ソース電極を介してＯＬＥＤ層２３に電流を供給することで、ＯＬＥＤ層２３の駆動制御を行う。
【００２４】
なお、ＴＦＴ層２２の各構成要素は、それぞれＴＦＴに用いられる公知の材料により構成され、任意の方法により形成される。また、ＴＦＴ層２２は、上記した例に限られず、他の公知の構造が採用されてもよい。
【００２５】
ＯＬＥＤ層２３は、ＴＦＴ層２２上に不図示の下部電極、隔壁および機能層、上部電極、封止層がこの順に積層された構成とされている。ＯＬＥＤ層２３は、少なくとも上部電極および封止層が透明材料で構成されており、一対の上部電極と下部電極との間への電流印加により機能層のうち発光層を発光させ、この光を上部電極側に透過させる構成とされる。機能層は、例えば、隔壁により区画されることで個々のサブピクセルＳＰ１〜ＳＰ３に相当する領域に分割配置されている。機能層は、一対の上部電極および下部電極のうち陽極側から順に、例えば、公知のＯＬＥＤ材料によりなる正孔注入層、正孔輸送層、発光層、電子輸送層、電子注入層がこの順で積層された構成とされる。言い換えると、上部電極および下部電極と隔壁により区画された個々の機能層とがサブピクセルＳＰ１〜ＳＰ３をなしており、ＯＬＥＤ層２３は、複数の画素を構成している。
【００２６】
ＯＬＥＤ層２３は、図４に示すように、任意の光学接着剤によりなる接着材２４を介して、可撓性のある任意の樹脂材料等によりなる透明カバー２５が貼り付けられており、接着材２４および透明カバー２５に覆われている。
【００２７】
なお、ＯＬＥＤ層２３の各構成要素は、それぞれＯＬＥＤに用いられる公知の材料により構成され、任意の方法により形成される。また、機能層は、上記の構成例に限られず、正孔ブロック層や電子ブロック層などを有する構成とされてもよいし、他の公知の構成が採用されてもよい。さらに、サブピクセルＳＰ１〜ＳＰ３の発光色は、限定するものではないが、例えば赤、青、緑とされる。
【００２８】
調光部３は、例えば図４に示すように、第２透明基材３１、透明下部電極３２、調光層３３、透明上部電極３４、第３透明基材３５がこの順に積層されてなり、第３透明基材３５の外表面が接着材４を介してディスプレイ部２に貼り付けられている。つまり、調光部３は、ＯＬＥＤ層２３のうち少なくとも一部の領域と重畳配置されている。
【００２９】
第２透明基材３１および第３透明基材３５は、可撓性のある任意の透明樹脂材料等によりなる。
【００３０】
透明下部電極３２は、透明上部電極３４と対をなす電極であり、例えばＩＴＯ（酸化インジウム錫）やＩＺＯ（酸化インジウム亜鉛）などの任意の透明電極材料により構成される。透明下部電極３２は、例えば図５に示すように、第２透明基材３１の一面上における一方向に沿って、複数延設されると共に、他の透明下部電極３２と互いに距離を隔てて配置されている。
【００３１】
調光層３３は、例えば図６に示すように、一対の電極３２、３４間に配置され、電界が印加された時（通電時）には、電界が印加されていない時（非通電時）よりもその可視光透過率が小さくなるものであり、光透過領域における可視光透過率の調整に用いられる。つまり、調光層３３は、一対の電極３２、３４と共にエレクトロクロミック素子を構成する。調光層３３は、例えば、ＷＯ３、ＭｏＯ３、ＴｉＯ２などの任意のエレクトロクロミック材料により構成され得る。なお、調光層３３は、一対の電極３２、３４への通電時に可視光透過率が低下する構成とされていればよく、任意の液晶材料などにより構成されてもよい。
【００３２】
透明上部電極３４は、透明下部電極３２と同様に任意の透明電極材料により構成される。透明上部電極３４は、例えば図５に示すように、第３透明基材３５の一面上において延設方向を揃えて複数形成されると共に、他の透明上部電極３４と互いに距離を隔てて配置される。透明上部電極３４は、透明下部電極３２と交差する配置とされ、図６に示すように、透明下部電極３２との交差部分の直下に配置される調光層３３に電界を印加でき、調光制御を可能としている。
【００３３】
つまり、調光部３は、本実施形態では、上面視にて、複数の透明下部電極３２と、複数の透明上部電極３４とが交差しつつ、これらの交差部分にて調光層３３を挟んだ構成とされ、パッシブマトリクス駆動により、任意の箇所の調光制御が可能とされている。調光部３は、制御部１１により駆動制御がなされ、ディスプレイ部２の駆動に合わせた電圧印加が可能な構成とされている。
【００３４】
制御部１１は、例えば、表示部１０を駆動するための駆動回路を備える不図示の基板上に、不図示のＲＯＭやＲＡＭなどの記憶媒体、およびＣＰＵなどが搭載されてなり、ＥＣＵ（Electronic Control Unitの略）等の電子制御ユニットを構成する。制御部１１は、例えば、表示部１０に接続されると共に、他の車載装置等からの映像信号が入力されると、不図示のＣＰＵが記憶媒体に予め格納された各種プログラムを読み込んで実行し、表示部１０の駆動条件を制御する構成とされる。
【００３５】
なお、制御部１１は、例えば、ＣＡＮ（Controller Area Networkの略、登録商標）やＬＩＮ（Local Interconnect Networkの略）等の不図示の任意の車内通信ネットワークを介して、他の車載装置やその制御用の車体ＥＣＵ等に接続される。他の車載装置としては、例えば、ナビゲーション装置、車載カメラ、道路交通情報システム等が挙げられるが、これらに限定されない。
【００３６】
以上が、本実施形態の表示装置Ｓ１の基本的な構成である。表示装置Ｓ１は、例えば図７に示すように、調光部３を作動させている時（調光時）には、調光部３側からの外光が調光層３３により透過が妨げられることで、ＯＬＥＤ層２３による光の割合が増加し、コントラストが向上する。一方、表示装置Ｓ１は、調光部３を作動させていない時（非調光時）には、調光部３側からの外光がディスプレイ部２側に透過し、調光部３よりも前方の外界の視野を確保できる状態となる。
【００３７】
次に、表示部１０における表示領域の区画の一例について、図８を参照して説明する。図８では、表示部１０における後述する第１領域１０１と第２領域１０２との境界を便宜的に破線で示している。
【００３８】
表示部１０は、本実施形態では、例えば図８に示すように、調光部３による可視光透過率の低下が生じない第１領域１０１と、調光部３による可視光透過率の低下が生じる第２領域１０２とを有してなる。
【００３９】
第１領域１０１は、本実施形態では、ＯＬＥＤを有してなる複数のメインピクセルＭＰが配置されている一方で、透明電極３２、３４および調光層３３のうち少なくとも１つが配置されていない領域である。つまり、第１領域１０１は、ＯＬＥＤによる映像表示が可能であるが、調光部３による調光制御がなされない領域である。第１領域１０１は、例えば、図８に示すように、車両Ｖの運転座席に着座した乗員の正面に位置する所定の領域とされ、表示品位よりも外界の視野確保が優先される。
【００４０】
第２領域１０２は、第１領域１０１の外側に位置すると共に、複数のメインピクセルＭＰおよび調光部３が共に配置されており、映像表示および調光制御の双方が可能な領域である。第２領域１０２では、調光制御によりＯＬＥＤによる映像表示の表示品位を高めることができる。
【００４１】
なお、第１領域１０１および第２領域１０２の面積や配置等は、表示部１０の面積や搭載される透明部材に応じて、適宜変更されてもよい。
【００４２】
このように、表示部１０が、外界の視野確保を優先する構成とされた第１領域１０１とその外側に調光部３による調光制御がなされる第２領域１０２とによりなることで、安全性の確保と表示品位の向上とが両立した表示装置Ｓ１となる。
【００４３】
また、本実施形態の表示装置Ｓ１は、ディスプレイ部２と調光部３とをそれぞれ公知の方法で製造した後、アライメントマーク等により位置合わせをしつつ、接着材４により貼り合わせることで製造され得る。
【００４４】
本実施形態によれば、可撓性のあるディスプレイ部２および調光部３を有してなり、全体として可撓性のある構成とされているため、曲面形状を有する透明部材上に搭載可能な表示装置Ｓ１となる。また、表示部１０が調光制御のなされない第１領域１０１と調光制御のなされる第２領域１０２とを有してなる構成とされることで、調光部が作動中においても所定の透明領域が確保され、表示品位の向上と安全性の確保とが両立する表示装置Ｓ１となる。
【００４５】
（第２実施形態）
第２実施形態の表示装置Ｓ２について、図９〜図１１を参照して説明する。
【００４６】
上記第１実施形態の表示装置Ｓ１は、ディスプレイ部２と調光部３とが別体とされ、これらのそれぞれが貼り合せられる透明基材を有した構成とされていた。
【００４７】
これに対して、本実施形態の表示装置Ｓ２は、例えば図９に示すように、ディスプレイ部２と調光部３とが第１透明基材２１を共通の透明基材とし、一面２１ａ側にディスプレイ部２、一面２１ａの反対側の他面２１ｂ側に調光部３が形成された構成とされている。また、調光部３のうち透明上部電極３４がディスプレイ部２のＴＦＴ層２２に接続され、調光部３は、サブピクセル単位でのアクティブマトリクス駆動が可能な構成とされている。表示装置Ｓ２は、これらの点で上記第１実施形態と相違する。本実施形態では、この相違点について主に説明する。
【００４８】
ＴＦＴ層２２は、本実施形態では、例えば図９に示すように、サブピクセル単位で、ＯＬＥＤ層２３の駆動制御用の第１ＴＦＴ２２Ａと、調光部３の駆動制御用の第２ＴＦＴ２２Ｂとを有した構成とされている。ＴＦＴ層２２は、半導体層２２１、ゲート絶縁層２２２、ゲート電極２２３、層間絶縁層２２４、ドレイン電極２２５およびソース電極２２６、平坦化層２２７がこの順に第１透明基材２１のバリア層２１１上に積層されてなる。ＴＦＴ層２２は、ドレイン電極２２５およびソース電極２２６が半導体層２２１と配線接続されると共に、ソース電極２２６が絶縁性材料によりなる平坦化層２２７上に形成されたＯＬＥＤ層２３の下部電極２３１に層間配線を介して接続されている。ＴＦＴ層２２は、不図示の内部配線によりゲート電極２２３に所定の電圧を印加可能な構成とされている。ＴＦＴ層２２は、ゲート電極２２３への電圧印加により、半導体層２２１でのキャリア移動を生じさせ、ソース電極２２６を介してＯＬＥＤ層２３の下部電極２３１に電流を供給することで、ＯＬＥＤ層２３の駆動制御を行う。
【００４９】
なお、ＴＦＴ層２２の各構成要素は、それぞれＴＦＴに用いられる公知の材料により構成され、任意の方法により形成される。また、ＴＦＴ層２２は、図９に示した例に限られず、他の公知の構造が採用されてもよい。
【００５０】
ＯＬＥＤ層２３は、例えば図９に示すように、平坦化層２２７上に下部電極２３１、隔壁２３２および機能層２３３、上部電極２３４、封止層２３５がこの順に積層された構成とされている。ＯＬＥＤ層２３は、上記第１実施形態と同様の構造とされ、複数の画素を構成しており、公知のＯＬＥＤ材料によりなる。
【００５１】
調光部３は、本実施形態では、例えば図９に示すように、調光層３３と透明上部電極３４との間に接着材３６が配置されると共に、透明上部電極３４が第１透明基材２１の他面２１ｂ上に形成された構成とされている。この構造は、後述する製造方法に起因するものである。本実施形態の表示装置Ｓ２の製造方法については、後ほど説明する。
【００５２】
透明下部電極３２は、透明上部電極３４と対をなす電極であり、例えば図９に示すように、ＯＬＥＤ層２３のうちサブピクセルＳＰ１〜ＳＰ３、ひいてはメインピクセルＭＰを構成する部分と重畳する配置とされている。透明下部電極３２は、例えば、各サブピクセルＳＰ１〜ＳＰ３に対応して複数形成される透明上部電極３４に対して、１つのみ形成され、複数の透明上部電極３４に対する共通電極とされる。つまり、透明下部電極３２は、本実施形態では、いわゆるベタ電極とされる。
【００５３】
透明上部電極３４は、各サブピクセルＳＰ１〜ＳＰ３のうち非発光領域ＳＰ１ｂ〜ＳＰ３ｂに対応して、分割された配置とされており、透明下部電極３２と同様の材料により構成される。透明上部電極３４は、例えば図９に示すように、非発光領域ＳＰ１ｂに配置されると共に、ＴＦＴ層２２のうちソース電極２２６に接続され、個々のサブピクセルＳＰ１〜ＳＰ３の駆動に対応して電圧が印加される構成とされる。具体的には、例えば図９に示すように、１つの発光領域ＳＰ１ａにＯＬＥＤを駆動するための第１ＴＦＴ２２Ａと、当該第１ＴＦＴ２２Ａの駆動に対応して作動する第２ＴＦＴ２２Ｂを配置する。そして、当該第２ＴＦＴ２２Ｂのソース電極２２６に透明上部電極３４を層間配線により接続し、第２ＴＦＴ２２Ｂの作動により、透明上部電極３４への通電を可能な構成とする。このような構成とされることで、サブピクセルＳＰ１〜ＳＰ３ごとに対応する調光部３を、発光領域ＳＰ１ａ〜ＳＰ３ａに連動して作動させることが可能な構成となる。
【００５４】
接着材３６は、調光層３３と第１透明基材２１とを接着するものであり、任意の光学接着剤により構成される。
【００５５】
つまり、調光部３は、本実施形態では、１つの共通電極とされた透明下部電極３２と、複数の透明上部電極３４とにより調光層３３を挟んだ構成とされ、複数形成されると共に、ＯＬＥＤ層２３の駆動に合わせた電圧印加が可能な構成とされている。そのため、調光部３は、第２ＴＦＴ２２Ｂによるアクティブマトリクス駆動によって、互いに独立して作動可能とされ、サブピクセル単位での調光制御が可能となっている。また、調光部３は、第１透明基材２１の一面２１ａ上に積層されたＴＦＴ層２２、ＯＬＥＤ層２３等をまとめて「映像表示部」と称した場合に、映像表示部と第１透明基材２１を共有する構成とされている。
【００５６】
次に、表示装置Ｓ２の製造方法の一例を説明する。
【００５７】
まず、ガラス等によりなる支持基板上に、透明上部電極３４を真空成膜法等で形成し、透明上部電極３４上に例えばポリイミド等の透明樹脂材料を塗布する等の方法により第１透明基材２１を形成した後、貫通配線を形成する。
そして、この第１透明基材２１の一面２１ａ上に、任意の方法によりバリア層２１１、ＴＦＴ層２２、ＯＬＥＤ層２３を積層した後、接着材２４を介して透明カバー２５をＯＬＥＤ層２３の上に貼り付け、ディスプレイ部２を構成する。なお、この時点において、ディスプレイ部２は、独立して駆動させることができる。
【００５８】
続いて、例えばレーザーリフトオフ等の方法により、透明カバー２５が貼り付けられた第１透明基材２１を支持基板から剥離した後、第２透明基材３１上に透明下部電極３２、調光層３３が積層されたものを位置合わせしつつ、接着材３６で貼り付ける。なお、第２透明基材３１上に透明下部電極３２、調光層３３が積層されたものは、ディスプレイ部２のうち透明上部電極３４が形成された他面２１ｂと貼り合されて初めて、調光部３として機能し、貼り合わせ前においては、調光部３として駆動できない。
【００５９】
上記した製造方法により、第１透明基材２１を共通する構成要素とし、一面２１ａ側にディスプレイ部２が積層され、他面２１ｂ側に調光部３が積層された、いわばディスプレイ部２と調光部３とが一体化した表示装置Ｓ２を製造することができる。そのため、それぞれ独立して駆動可能なディスプレイ部２および調光部３を別体で設けた後に、これらを貼り合わせて得られる上記第１実施形態の表示装置Ｓ１に比して、構成する透明基材が１枚少ない表示装置Ｓ２となる。これにより、上記第１実施形態の表示装置Ｓ１よりも表示部１０の全体の厚みが薄く、かつ部品点数が少ないことで、製造コストの低減効果が期待される。
【００６０】
次に、本実施形態での調光部３による調光制御について、図１０を参照して説明する。
【００６１】
調光部３は、図１０に示すように、個々のサブピクセルＳＰ１〜ＳＰ３における光透過領域に配置されており、ＯＬＥＤ層２３の駆動に合わせて電極３２、３４間に電圧を印加でき、外光の透過度合いを制御可能な構成とされている。具体的には、調光部３に電圧が印加されていない時、すなわち非調光時には、調光層３３の可視光透過率が高い状態であるため、第２透明基材３１側から入射する外光は、透明カバー２５側へ透過できる。一方、調光部３に電圧が印加された時、すなわち調光時には、調光層３３の可視光透過率が低い状態となり、第２透明基材３１側から入射する外光は、調光層３３により遮られる。調光部３の調光時には、その調光部３を備えるサブピクセルＳＰ１〜ＳＰ３、ひいてはメインピクセルＭＰは、ＯＬＥＤによる光をユーザ側に放射する一方で、第２透明基材３１側からの外光が遮られるため、コントラストが向上する。このような調光制御がサブピクセル単位で行われることで、映像表示部分の表示品位を高めると共に、他の領域を透明領域とでき、視認性を確保できる表示装置Ｓ２となる。また、アクティブマトリクス駆動とされることで、上記第１実施形態よりもさらに調光領域を細かく制御でき、より表示品位が高くなる効果も期待される。
【００６２】
また、本実施形態では、例えば図１１において破線で示すように、表示部１０が第１領域１０１、第２領域１０２に加えて、第３領域１０３を有した構成とされ得る。
【００６３】
第１領域１０１は、本実施形態では、例えば、複数のメインピクセルＭＰおよび調光部３のいずれも配置されているが、制御部１１により調光制御が実行されない領域とされている。つまり、第１領域１０１は、本実施形態では、調光部３の構成等が上記第１実施形態と異なるものの、上記第１実施形態と同様に、映像表示のみが行われる。第１領域１０１は、図１１に示すように、本実施形態では、後述する第３領域１０３を囲んでいる。
【００６４】
第２領域１０２は、調光部３の構成等が上記第１実施形態と異なるものの、上記第１実施形態と同様に、映像表示が行われると共に、必要に応じて調光制御も同時に行われる。第２領域１０２は、第１領域１０１を隔てて第３領域１０３よりも外側に位置している。
【００６５】
第３領域１０３は、常時、外界の視野を確保するための領域であり、例えば、図１１に示すように、ウィンドシールドＶ１上に表示部１０を重畳した状態において、表示部１０のうち運転席および助手席に着座した乗員の正面に位置する所定の領域とされる。第３領域１０３では、ＯＬＥＤ層２３および調光部３は、例えば、制御部１１により駆動しない制御がなされたり、電気的に独立（絶縁）した構成とされたりする等の任意の手段により作動しない状態とされる。
【００６６】
なお、３つの領域１０１〜１０３の配置関係や面積等については、図１１に示す例に限定されるものではなく、適宜変更されてもよい。また、制御部１１による駆動制御により、調光部３の作動可能な領域を設定する場合には、領域１０１〜１０３の配置関係や面積等は、容易に変更され得る。
【００６７】
本実施形態によれば、上記第１実施形態の効果が得られると共に、表示部１０の全体の厚みが薄くされることで被搭載部材である透明部材（例えばウィンドシールド）の曲面形状に、より追従することが容易な構造となる。また、上記第１実施形態に比して、部品点数が削減された構成とされるため、製造コストの低減効果も期待される。さらに、調光部３がディスプレイ部２を構成するサブピクセル単位で調光制御が可能であるため、表示品位の向上と透明領域の確保による安全性向上とをより両立させやすい構造となる。
【００６８】
（他の実施形態）
本発明は、実施例に準拠して記述されたが、本発明は当該実施例や構造に限定されるものではないと理解される。本発明は、様々な変形例や均等範囲内の変形をも包含する。加えて、様々な組み合わせや形態、さらには、それらの一要素のみ、それ以上、あるいはそれ以下、を含む他の組み合わせや形態をも、本発明の範疇や思想範囲に入るものである。
【００６９】
（１）上記各実施形態では、表示部１０がウィンドシールドＶ１のうち車室側の面上に配置された例について説明したが、図１２に示すように、ウィンドシールドＶ１中に配置されてもよい。
【００７０】
表示部１０は、例えば、２枚のガラス基板Ｖ１１が樹脂材料によりなる中間膜を介して貼り合わせられた構成のウィンドシールドＶ１のうち当該２枚のガラス基板Ｖ１１との間に配置されていてもよい。この場合、表示部１０に取り付けられた配線Ｗ１、Ｗ２は、例えば、ウィンドシールドＶ１のうち中間膜が露出する端面側から引き出され、制御部１１に接続される。
【００７１】
このような変形例によっても、上記各実施形態と同様の効果が得られる。また、表示部１０がガラス基板Ｖ１１に挟まれた配置、言い換えると、ウィンドシールドＶ１に埋め込まれた配置とされることで、外部の水や酸素等により暴露されにくくなり、信頼性が向上する効果も期待される。
【００７２】
（２）例えば、上記各実施形態では、図１に示すように、ウィンドシールドＶ１のほぼ全面に表示部１０が配置された例を示しているが、これに限られず、表示部１０の面積やその配置については、適宜変更されてもよい。例えば、表示部１０は、公知のヘッドアップディスプレイ装置において映像が表示される領域の面積と同程度の面積とされ、ウィンドシールドＶ１のうち運転席の正面に位置する部分に配置されてもよいし、他の部分に配置されてもよい。
【００７３】
（３）上記各実施形態では、表示装置が自動車等の車両Ｖに搭載される例について説明したが、この例に限定されず、太陽光に晒される他の移動体、例えばバイク、電車、航空機などにも搭載され得ることは言うまでもない。
【００７４】
（４）表示装置Ｓ２をウィンドシールドディスプレイ以外に適用する場合において、表示部１０を３つの領域１０１〜１０３で区画する場合であっても、表示部１０の搭載箇所や面積等に合わせて、各領域１０１〜１０３は、その配置や面積等が適宜変更され得る。
【００７５】
（５）調光部３は、例えば、車両Ｖに搭載された他の車載センサからの信号等に基づいて、必要な状況にのみ制御部１１により調光制御が実行されてもよい。例えば、車両Ｖに照度センサが搭載されている場合、制御部１１は、照度センサから照度データを取得し、表示部１０への日差しが強いとき（照度が所定以上のとき）に、調光部３の調光制御を実行してもよい。
【００７６】
（６）上記第１実施形態において、表示部１０のうちメインピクセルＭＰが配置された領域のすべてに調光部３が配置された構成とし、制御部１１による駆動制御により、第１領域１０１と第２領域１０２とに区画してもよい。
【符号の説明】
【００７７】
２１      （第１）透明基材
２１ａ    一面
２１ｂ    他面
２３      ＯＬＥＤ層
３      調光部
１０１  第１領域
１０２  第２領域
１０３  第３領域
【図１】
2020154184.tif 000003
【図２】
2020154184.tif 000004
【図３】
2020154184.tif 000005
【図４】
2020154184.tif 000006
【図５】
2020154184.tif 000007
【図６】
2020154184.tif 000008
【図７】
2020154184.tif 000009
【図８】
2020154184.tif 000010
【図９】
2020154184.tif 000011
【図１０】
2020154184.tif 000012
【図１１】
2020154184.tif 000013
【図１２】
2020154184.tif 000014